(57)【要約】【課題】取付面に対して接着したり、穴を開けずに取り付けることができ、また取付面の歪みを吸収して取り付けることが可能であり、これにより表示体自体の歪みを抑えることができる。【解決手段】一方の面が表示面２ａとされ、ポスター等の表示体Ｐを着脱可能に保持する表示板本体２と、この表示板本体２の他方の面に設けられた複数の磁石部３とを備え、工事用の仮囲い塀に用いられる鋼板壁４の壁面４ａに取り付けられ、磁石部３の磁石３２が弾性変形可能な部材からなり、表示体本体２に支持された構成の表示板１Ａを提供する。【選択図】図３
2012150412.tif 000002
【特許請求の範囲】
【請求項１】
一方の面が表示面とされた表示板本体と、
該表示板本体の他方の面に設けられた複数の磁性体と、
を有する表示板であって、
前記磁性体は、弾性体を介して前記表示板本体に支持されていることを特徴とする表示板。
【請求項２】
前記磁性体は、複数の前記弾性体によって支持されていることを特徴とする請求項１に記載の表示板。
【請求項３】
一方の面が表示面とされた表示板本体と、
該表示板本体の他方の面に設けられた複数の磁性体と、
を有する表示板であって、
前記磁性体は、弾性変形可能な部材からなり、前記表示体本体に支持されていることを特徴とする表示板。
【請求項４】
前記表示板本体には、その外周を囲む縁取り板が設けられており、
前記磁性体は、前記縁取り板より内側に配置されていることを特徴とする請求項１乃至３のいずれか１項に記載の表示板。
【請求項５】
前記磁性体は、表面を露出させた状態でハウジングに収容され、
該ハウジングの開口端が前記磁性体の表面と同一平面、又は突出していることを特徴とする請求項１乃至４のいずれか１項に記載の表示板。
【請求項６】
前記弾性体は、前記表示面と交差する方向へ伸縮可能なばね部材であることを特徴とする請求項１乃至５のいずれか１項に記載の表示板。
【請求項７】
前記弾性体は、一端を前記表示板本体に固定させ、他端で前記磁性体を支持する連結片であることを特徴とする請求項１乃至６のいずれか１項に記載の表示板。
【請求項８】
前記磁性体は、前記表示板本体の外周に沿って所定の長さを有していることを特徴とする請求項１乃至７のいずれか１項に記載の表示板。
【発明の詳細な説明】
【技術分野】
【０００１】
本発明は、工事用の仮囲い塀等の鋼板壁に対して着脱可能に取り付けられる広告用パネルなどの表示板に関する。
【背景技術】
【０００２】
従来、既存の駅等で行われる改修工事や増築工事等では、その工事箇所を仮設の鋼板壁によって取り囲むことが行われている。そして、このような人通りの多い駅では、仮設の鋼板壁に対しても広告用パネル等の表示板（例えば、特許文献１参照）を取り付けて掲出することで有効的に利用している。
【０００３】
ここで、図１１には、従来の表示板１０における取り付け構造の一例を示す断面図であり、ポスター等の表示体を保持するフレーム１１を壁に対してビス１２で固定する構造となっている。このフレーム１１は、仮囲い塀などの鋼板壁４に固定されるとともに表示体１３の外周縁部を保持する支持部１４と、この支持部１４に支持され、支持部１４で保持された表示体１３の表面１３ａを押さえ付けて固定する押さえ部１５とからなる。押さえ部１５は、支持部１４の外周側の位置において壁面に平行な軸線を中心にして回動自在に支持されており、支持部との間において表示体１３の表面１３ａを押さえ付ける方向（閉止方向）に付勢する板バネ１６が介挿されている。また、支持部１４は、断面視凹状をなし、その底面にビス穴が設けられている。そして、押さえ部１５を板バネ１６の付勢に抗して前記閉止方向と反対側に回動させて開放させた状態で、前記ビス穴からビス１２を壁に挿通させて壁の裏面からビス止め１７により固定する構成となっている。
【先行技術文献】
【特許文献】
【０００４】
【特許文献１】特開平５−２３２８８９号公報
【発明の概要】
【発明が解決しようとする課題】
【０００５】
しかしながら、従来の表示板では、以下のような問題があった。
すなわち、工事用の仮囲い塀に用いる鋼板壁は、通常、リース品を用いるケースが多く、この場合には工事終了後に元の状態で返品することから、上述した図１１に示すように鋼板壁４に表示板１０を取り付けるためのビス穴やボルト穴を開けることは勿論、壁面に粘着テープや接着剤等の付着物で汚した状態とするものもできない。そのため、鋼板壁に穴を開けたり、接着によらない壁面に対する表示板の取り付け方法が求められており、その点で改良の余地があった。
【０００６】
また、上述した仮囲い塀として用いる鋼板壁の壁面が必ずしも平面であるとは限らず、例えば数ミリの単位の歪みを有している。この場合、表示板を壁面に取り付けた状態で、フレームに表示板の面方向と交差する方向の曲げが働き、フレーム自体を曲げてしまううえ、表示板で表示する表示体にも歪みが生じて見にくくなり、表示板としての機能が低下するという問題があった。
【０００７】
本発明は、上述する問題点に鑑みてなされたもので、取付面に対して接着したり、穴を開けずに取り付けることができる表示板を提供することを目的とする。
また、本発明の他の目的は、取付面の歪みを吸収して取り付けることが可能であり、これにより表示体自体の歪みを抑えることができる表示板を提供することである。
【課題を解決するための手段】
【０００８】
上記目的を達成するため、本発明に係る表示板では、一方の面が表示面とされた表示板本体と、表示板本体の他方の面に設けられた複数の磁性体と、を有する表示板であって、磁性体は、弾性体を介して表示板本体に支持されていることを特徴としている。
【０００９】
また、本発明に係る表示板では、一方の面が表示面とされた表示板本体と、表示板本体の他方の面に設けられた複数の磁性体と、を有する表示板であって、磁性体は、弾性変形可能な部材からなり、表示体本体に支持されていることを特徴としている。
【００１０】
本発明では、複数の磁性体を鋼板壁などの取付面に対して吸着させることによって、表示板本体を容易に着脱することができる。つまり、磁性体の吸着による取り付け方法となることから、取付面にボルトやビス用の穴を開けること等により傷を付けたり、粘着テープや接着剤等による汚れを付着させたりせずに済む。そのため、取付面が例えば元通りの状態での返品が必要となるリース品の仮囲い塀であっても好適に表示板を着脱することが可能となり、表示板の取り付けにおける適用範囲を拡大できる利点がある。
また、磁性体による装着のため、仮囲い塀等の壁面に取り付ける場合でその仮囲い塀を移動させたりや盛り替えたりする際にも容易に撤去や移動設置が行なえ、従来のビス止め方法のような手間の係る工事が不要となり、その際に必要な工事費の低減を図ることができる。
【００１１】
さらに、弾性体の弾性変形により、又は弾性変形可能な部材からなる磁性体自体の弾性変形により磁性体の表面（吸着面）の位置を、表示板本体の表示面と交差する方向へ変位させることが可能となるため、平面に歪みのある取付面に対応させて表示板を取り付けることができる。そして、弾性体、又は弾性変形可能な部材からなる磁性体自体の弾性変形量を調整することで、取付面の歪みの大きさにも適宜対応することが可能である。
しかも、磁性体は半永久的に磁力を継続できることから、経年劣化を伴う粘着テープ等による固着方法の場合に比べて表示板の落下を防止することができる。
【００１２】
また、本発明に係る表示板では、磁性体は、複数の弾性体によって支持されていることが好ましい。
本発明では、１つの磁性体における弾性体による支持部が２箇所以上となるので、１点支持の場合に比べて吸着しない範囲が小さくなり、より確実な取り付けを行うことができる。
【００１３】
また、本発明に係る表示板では、表示板本体には、その外周を囲む縁取り板が設けられており、磁性体は、縁取り板より内側に配置されていることが好ましい。
この場合、磁性体が表示板本体の裏側に隠れた状態となるので、磁性体に物が接触したり引っ掛かって表示板が落下したり、斜めにずれるのを防止することができるうえ、表示板の見映えが良くなる利点がある。
【００１４】
また、本発明に係る表示板では、磁性体は、表面を露出させた状態でハウジングに収容され、ハウジングの開口端が磁性体の表面と同一平面、又は突出していてもよい。
この場合、磁性体の表面がハウジングの開口端と同一平面、又は内側に位置した状態となり、ハウジングの開口端と取付面との間に隙間が無く、隙間からハウジングに指を掛けて取り外すのが難しくなることから、誤って表示板を動かしてしまう等の不具合を防ぐことができる。
【００１５】
また、本発明に係る表示板では、弾性体は、表示面と交差する方向へ伸縮可能なばね部材であることが好ましい。
この場合、ばね部材の伸縮変形により磁性体の吸着面の位置を表示板の表示面と交差する方向へ変位させることが可能となるため、平面に歪みのある取付面に対応させて表示板を取り付けることができる。
【００１６】
また、本発明に係る表示板では、弾性体は、一端を表示板本体に固定させ、他端で磁性体を支持する連結片であってもよい。
本発明では、例えばアルミニウム等の軟質材からなる連結片を採用することで、この連結片自体が弾性変形し、磁性体を支持する他端が表示板の表示面と交差する方向へ変位することになる。そのため、磁性体の吸着面を平面に歪みのある取付面に対応させて表示板を取り付けることができる。
【００１７】
また、本発明に係る表示板では、磁性体は、表示板本体の外周に沿って所定の長さを有していることが好ましい。
この場合、表示板本体の外周部に沿って長さ方向を平行に向けて配置される磁性体によって取付面に吸着しているので、表示板の外周部分が取付面に対して浮き上がることがなく、安定した状態で取り付けることができる。
【発明の効果】
【００１８】
本発明の表示板によれば、鋼板壁等の取付面に対して磁性体の吸着による取り付け方法となることから、取付面に対して接着したり、ビス穴等を開けずに取り付けることができる。
また、磁性体の吸着面が弾性によって変位可能に設けられているので、取付面の歪みを吸収して表示板を取り付けることが可能であり、これにより表示体自体の歪みを抑えることができ、表示面の見映えを向上させることができる。
【図面の簡単な説明】
【００１９】
【図１】本発明の第１の実施の形態による表示板１Ａの正面図である。
【図２】図１に示す表示板１Ａの背面図である。
【図３】図２に示すＡ−Ａ線断面図であって、表示板を壁面に取り付けた状態を示す図である。
【図４】図３に示すＢ−Ｂ線矢視図である。
【図５】表示板の作用を説明するための断面図であって、図３に対応する図である。
【図６】第２の実施の形態による表示板１Ｂの構成を示す断面図であって、図３に対応する図である。
【図７】第３の実施の形態による表示板１Ｃの構成を示す断面図であって、図３に対応する図である。
【図８】第４の実施の形態による表示板１Ｄの構成を示す断面図であって、（ａ）は弾性変形前の図、（ｂ）は弾性変形時の図である。
【図９】第１変形例による表示板の構成を示す断面図である。
【図１０】第２変形例による表示板の構成を示す断面図である。
【図１１】従来の表示板の取付構造の一例を示す断面図である。
【発明を実施するための形態】
【００２０】
以下、本発明による表示板の実施の形態について、図面に基づいて説明する。
【００２１】
（第１の実施の形態）
図１及び図２に示すように、本第１の実施の形態による表示板１Ａは、一方の面が表示面２ａとされ、ポスター等の表示体Ｐを着脱可能に保持する表示板本体２と、この表示板本体２の他方の面に設けられた複数の磁石部３、３、…とを備え、例えば工事用の仮囲い塀に用いられる図３に示す鋼板壁４の一方の表面（以下、壁面４ａという）に取り付けられるものである。
【００２２】
ここで、表示板本体２の表示面２ａの平面方向を面方向という。また、表示板１Ａにおいて、鋼板壁４に取り付けた状態で表示面２ａ側を表面、壁面４ａ側を裏面という。
【００２３】
図３に示すように、表示板本体２は、表示体Pを保持する四角形の額縁状のフレーム２０（縁取り板）と、このフレーム２０に保持された表示体Ｐの表面側に配置される透明なカバー体２１とからなる。
フレーム２０は、鋼板壁４の壁面４ａ（取付面）に固定されるとともに表示体Ｐの外周縁部を保持する支持部２Ａと、この支持部２Ａに回動可能に支持され、支持部２Ａで保持された表示体Ｐをカバー体２１を介して表面側から押さえ付けて固定する押さえ部２Ｂとを備えている。なお、このフレーム２０は、アルミニウム等の軽量な部材により押出し成形されている。
【００２４】
支持部２Ａは、互いに一定の離間をもって対向して配置される内周壁２ｄと外周壁２ｂと、それら両周壁２ｂ、２ｄ同士を接続する底壁２ｃとから断面視凹状に形成されており、表示板１Ａを壁面４ａに取り付けた状態で、凹状開口を表示板本体２の表示面２ａ側に向けて配置されている。内周壁２ｄの外側面には、表示体Ｐの外周縁部を係合させるための係合溝２２が形成されている。また、外周壁２ｂには、外側面においてヒンジ凸部２３が設けられ、表面側縁端部において凹溝２４が設けられている。
【００２５】
押さえ部２Ｂは、その支持部２Ａのヒンジ凸部２３に対して回転可能に係合するヒンジ凹部２５を備え、フレーム２０の延在方向に平行な軸線を中心にして回動自在に支持されている。そして、押さえ部２Ｂと支持部２Ａとの間には、押さえ部２Ｂを表示体Ｐの表面をカバー体２１を介して押さえ付ける方向（閉止方向）に付勢する板バネからなる閉止バネ２６が介装されている。つまり、押さえ部２Ｂを閉止バネ２６の付勢に抗して前記閉止方向と反対方向に回動させることで、表示体Ｐの押さえを解除することができ、押さえ部２Ｂの開閉により表示体Ｐの着脱が可能となっている。
【００２６】
図２に示すように、複数の磁石部３は、それぞれが所定の長さを有する長尺形状をなし、その長手方向を表示板本体２の外周に沿う状態、すなわちフレーム２０の延在方向に平行に向けた状態で所定間隔をもって配置されている。
【００２７】
図３および図４に示すように、磁石部３は、保持枠３１に収容された磁石３２（磁性体）が磁石部３の長さ方向の複数個所（本実施の形態では図２に示すように２箇所）に設けられた板バネ３３（弾性体）を介して支持部２Ａに支持された構成となっている。
保持枠３１は、一方の面に開口部が設けられ、内側に収容した磁石３２の一面（吸着面３２ａ）を保持枠３１の開口より露出させ、その吸着面３２ａを裏面側に向けて配置されている。
【００２８】
具体的には、断面視でＺ型の連結片３４の一端３４ａがシリコン材からなる弾性を有する介挿部材３５（弾性体）が支持部２Ａの底壁２ｃにリベット３５ａにより固定され、その連結片３４の他端３４ｂの裏面側に前記板バネ３３を介して保持枠３１がビス３６により固定されている。つまり、ビス３６は、磁石３２、保持枠３１の底部、板バネ３３、連結片３４の他端３４ａに対してその順で表裏方向に貫通され、連結片３４の表面側でナット３７によって螺合されて固定されている。
なお、図３および図４において、磁石３２の吸着面３２ａよりもビス３６が突出しているが、その突出量は僅かであり、磁石３２自体の磁力によって鋼板壁４に対しては吸着面３２ａで吸着可能である。
【００２９】
板バネ３３は、面方向と交差する方向（壁面４ａに対して近接離反方向Ｅ）へ伸縮することにより弾性的に変形し、これにより磁石３２が保持枠３１と共に前記近接離反方向Ｅへ移動することが可能となっている。
なお、磁石３２が収容される保持枠３１には、その周囲全体にわたってラミネート材３８によって被覆されている。
【００３０】
磁石３２としては、鉄（Ｆｅ）を６５−７５％、ネオジウム２５−３０％、ディスプロシウム５％前後、ホウ素１％からなるネオジム磁石が採用されている。なお、ネオジウム含有量を大きくすることで、より強い磁力が得られるが、脆さも生じるので、前記含有配分を適宜な量に調製し、脆さが生じない限界までの強度に留めることが好ましい。さらに、ラミネート材３８により被覆することで、酸化（錆）防止とともに、脆さに対応することができる。
【００３１】
次に、上述した構成の表示板１Ａの作用について、図面に基づいて詳細に説明する。
図３に示すように、上述した表示板１Ａでは、複数の磁石３２、３２、…を鋼板壁４の壁面４ａに対して吸着させることによって、表示板本体２を容易に着脱することができる。つまり、磁石３２の吸着による取り付け方法となることから、壁面４ａにボルトやビス用の穴を開けること等により傷を付けたり、粘着テープや接着剤等による汚れを付着させたりせずに済む。そのため、壁面４ａが例えば元通りの状態での返品が必要となるリース品の仮囲い塀であっても好適に本実施の形態の表示板１Ａを着脱することが可能となり、表示板１Ａの取り付けにおける適用範囲を拡大できる利点がある。
【００３２】
また、磁石３２による装着のため、仮囲い塀等の壁面に取り付ける場合でその仮囲い塀を移動させたりや盛り替えたりする際にも容易に撤去や移動設置が行なえ、従来のビス止め方法のような手間の係る工事が不要となり、その際に必要な工事費の低減を図ることができる。
【００３３】
さらに、図５に示すように、板バネ３３の伸縮に伴う弾性変形と、連結片３４と支持部２Ａとの間に設けられる介挿部材３５の弾性変形とにより、磁石３２の吸着面３２ａの位置を面方向（表示板本体２の表示面２ａ）と交差する方向（矢印Ｅ方向）へ変位させることが可能となるため、平面に歪みのある壁面４ａに対応させて表示板１Ａを取り付けることができる。そして、板バネ３３の弾性変形量を調整することで、壁面４ａの歪みの大きさにも適宜対応することが可能である。
しかも、磁石３２は半永久的に磁力を継続できることから、経年劣化を伴う粘着テープ等による固着方法の場合に比べて表示板１Ａの落下を防止することができる。
【００３４】
また、１つの磁石３２における板バネ３３による支持部が２箇所以上となるので、１点支持の場合に比べて吸着しない範囲が小さくなり、より確実な取り付けを行うことができる。
【００３５】
さらにまた、磁石３２（磁石部３）がフレーム２０より内側に配置されているので、磁石３２が表示板本体２の裏側に隠れた状態となるので、磁石３２に物が接触したり引っ掛かって表示板１Ａが落下したり、斜めにずれるのを防止することができるうえ、表示板１Ａの見映えが良くなる利点がある。
【００３６】
そして、表示板本体２の外周部に沿って長さ方向を平行に向けて配置される磁石３２によって壁面４ａに吸着しているので、表示板１Ａの外周部分が壁面４ａに対して浮き上がることがなく、安定した状態で取り付けることができる。
【００３７】
上述した第１の実施の形態による表示板では、鋼板壁４の壁面４ａに対して磁石３２の吸着による取り付け方法となることから、壁面４ａに対して接着したり、ビス穴等を開けずに取り付けることができる。
また、磁石３２の吸着面３２ａが弾性によって変位可能に設けられているので、壁面４ａの歪みを吸収して表示板１Ａを取り付けることが可能であり、これにより表示体Ｐ自体の歪みを抑えることができ、表示面の見映えを向上させることができる。
【００３８】
次に、本発明の表示板による他の実施の形態について、添付図面に基づいて説明するが、上述の第１の実施の形態と同一又は同様な部材、部分には同一の符号を用いて説明を省略し、第１の実施の形態と異なる構成について説明する。
【００３９】
（第２の実施の形態）
図６に示すように、第２の実施の形態による表示板１Ｂは、上述した第１の実施の形態の連結片３４（図３参照）に代えてハウジング４０を設けた構成であり、さらに第１の実施の形態の板バネ３３（図３参照）に代えてナイロンワッシャー４１を用いている。なお、表示板本体２、フレーム２０の構成は、上述した第１の実施の形態と同様であるので、ここでは詳しい説明は省略する。
ハウジング４０は、開口を裏面側に向けた断面視コの字状をなし、その底盤４０ａが支持部２Ａの底壁２ｃに固定され、内部に磁石３２を保持した保持枠３１がナイロンワッシャー４１を介して設けられている。そして、これら磁石３２、保持枠３１、ナイロンワッシャー４１、ハウジング４０の底盤４０ａ、支持部２Ａの底壁２ｃがその順で表裏方向に貫通するリベット４２により固定されている。
つまり、磁石３２は、表面（吸着面３２ａ）を露出させた状態でハウジング４０に収容され、ハウジング４０の開口端４０ｂが磁石３２の吸着面３２ａと同一平面、又は突出していている。
【００４０】
本第２の実施の形態による表示板１Ｂでは、磁石３２の吸着面３２ａがハウジング４０の開口端４０ｂと同一平面、又は内側に位置した状態となり、ハウジング４０の開口端４０ｂと壁面４ａとの間に隙間が無く、隙間からハウジング４０に指を掛けて取り外すのが難しくなることから、誤って表示板１Ｂを動かしてしまう等の不具合を防ぐことができる効果を奏する。
【００４１】
（第３の実施の形態）
次に、図７に示す第３の実施の形態による表示板１Ｃは、上述した第１の実施の形態による板バネ３３（図４参照）を省略し、ゴム材と磁石粉とを混合した弾性変形可能な部材からなる弾性磁石４３（磁性体）を採用したものである。この弾性磁石４３は、表裏方向に貫通するリベット４４によって連結片３４の他端３４ｂに固定されている。
さらに、連結片３４と支持部２Ａの底壁２ｃとの固定部においても、第１の実施の形態の介挿部材３５（図３参照）を省略し、両者をリベット３５ａにより直接連結した構成となっている。
【００４２】
この場合、弾性変形可能な部材からなる弾性磁石４３自体の弾性変形によりその吸着面４３ａの位置を、面方向（表示板本体２の表示面２ａ）と交差する方向へ変位させることが可能となるため、平面に歪みのある鋼板壁４の壁面４ａに対応させて表示板１Ｃを取り付けることができる利点がある。
【００４３】
（第４の実施の形態）
次に、図８（ａ）に示す第４の実施の形態による表示板１Ｄは、上述した第３の実施の形態を変形したものであって、連結片３９の部材を例えばアルミニウム等の軟質材からなる弾性体とし、第１の実施の形態による磁石３２を採用した構成となっている。
すなわち、本表示板１Ｄでは、図８（ｂ）に示すように、連結片３９自体が弾性変形し、磁石３２を支持する連結片３９の他端３９ｂが面方向（表示板本体２の表示面２ａ）と交差する方向へ変位することになる。そのため、磁石３２の吸着面３２ａを平面に歪みのある鋼板壁４の壁面４ａに対応させて表示板１Ｄを取り付けることができる。
【００４４】
以上、本発明による鉄筋の定着構造の実施の形態について説明したが、本発明は上記の実施の形態に限定されるものではなく、その趣旨を逸脱しない範囲で適宜変更可能である。
例えば、本第１の実施の形態では磁石部３を支持する弾性体として板バネ３３と介挿部材３５とを備えた構成としているが、いずれか一方だけであってもかまわない。また、本第１の実施の形態の板バネ３３に代えて、例えば図９に示すコイルばね５１や、第２の実施の形態と同様に図１０に示すナイロンワッシャー５２を弾性体として設ける構成であっても良い。要は、磁性体を表示板本体２の表示面２ａと交差する方向（図４に示す矢印Ｅ方向）へ変位させることが可能な弾性体が設けられていれば良いのである。
【００４５】
また、本実施の形態では１つの磁石部３（磁石３２、弾性磁石４３）に対して、２箇所の支持部を弾性体により支持しているが、このような構成に限定されることはなく、１つの磁石部３に対して３箇所以上、或いは１箇所の弾性体による支持部を設ける構成であってもかまわない。
【００４６】
さらに、本実施の形態では複数の磁石部３（磁石３２、弾性磁石４３）をフレーム２０（表示板本体２の外周部）に沿わせた位置に配置させているが、これら磁石部３の配置、向き等の構成も任意に設定することが可能である。例えば、表示板本体２において外周部のみでなく、面方向内側にも内側フレームが設けられる構造の場合には、その内側フレームに磁石部３を設けるようにしても良い。
【００４７】
さらにまた、本実施の形態では磁性体をなす磁石３２、弾性磁石４３が保持枠３１内に収容された状態で保持されているが、保持枠３１を省略してもよく、また他の形状の保持枠を採用することも可能である。
また、磁石３２の成分は本実施の形態によるものに限定されることはなく、他の成分のものであっても良い。例えば、上述した実施の形態の成分に対してさらに他の材料を加えた成分の磁石を採用することも可能である。
また、表示板本体２のフレーム２０の形状、押さえ部２Ｂの開閉構造等は、本実施の形態の構成に限定されず、適宜変更することができる。
【００４８】
その他、本発明の趣旨を逸脱しない範囲で、上記した実施の形態における構成要素を周知の構成要素に置き換えることは適宜可能であり、また、上記した実施の形態を適宜組み合わせても良い。
【符号の説明】
【００４９】
１Ａ、１Ｂ、１Ｃ、１Ｄ  表示板
２  表示板本体
２Ａ  支持部
２Ｂ  押さえ部
３  磁石部
４  鋼板壁
４ａ  壁面（取付面）
２０  フレーム（縁取り板）
３１  保持枠
３２  磁石（磁性体）
３３  板バネ（弾性体）
３４  連結片
３５  介挿部材（弾性体）
３８  連結片（弾性体）
４０  ハウジング
４１  ナイロンワッシャー（弾性体）
４３  弾性磁石（磁性体）
５１  コイルばね（弾性体）
５２  ナイロンワッシャー（弾性体）
Ｐ  表示体
【図１】
2012150412.tif 000003
【図２】
2012150412.tif 000004
【図３】
2012150412.tif 000005
【図４】
2012150412.tif 000006
【図５】
2012150412.tif 000007
【図６】
2012150412.tif 000008
【図７】
2012150412.tif 000009
【図８】
2012150412.tif 000010
【図９】
2012150412.tif 000011
【図１０】
2012150412.tif 000012
【図１１】
2012150412.tif 000013